(57)【要約】【課題】電源がＯＮ／スタンバイの何れの状態にあっても，受信機動作用プログラム等のダウンロードを可能とするＣＡＴＶシステム及びＣＡＴＶ用端末装置。【解決手段】ＣＡＴＶ網７０を介して複数のＣＡＴＶ用端末装置とケーブルモデムターミネーションシステムとを接続したネットワークにＣＡＴＶ用端末装置の管理装置を設け，当該管理装置でセンター局１００側からセットトップボックス１の電源がＯＮであるかスタンバイであるかの状態と受信機用プログラム等のヴァージョン情報を管理し，所定時間の間，電源がＯＮ状態のままで最新の受信機プログラム等が更新されていないならば，セットトップボックス１に対して，センター局側からセットトップボックス１の電源をスタンバイに制御することでダウンロードさせるようにする。【選択図】  図１
2005176112.tif 000002
【特許請求の範囲】
【請求項１】
センター局とＣＡＴＶ伝送路を介して複数のＣＡＴＶ用端末装置が接続されており，
当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶシステムにおいて，
前記センター局にはケーブルモデムターミネーションシステムを備えると共に，前記ＣＡＴＶ用端末装置にはケーブルモデムを備えさせ，
前記センター局には，前記ＣＡＴＶ用端末装置の電源ＯＮ／スタンバイ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成したことを特徴としたＣＡＴＶシステム。
【請求項２】
センター局とＣＡＴＶ伝送路を介して複数のＣＡＴＶ用端末装置が接続されており，
当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶ用端末装置において，
前記センター局にはケーブルモデムターミネーションシステムを備えると共に，前記ＣＡＴＶ用端末装置にはケーブルモデムを備えさせ，
前記センター局には，前記ＣＡＴＶ用端末装置の電源ＯＮ／スタンバイ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成したことを特徴としたＣＡＴＶ用端末装置。
【請求項３】
前記ＣＡＴＶ用端末装置はケーブルモデムを内蔵したことを特徴とした請求項２に記載のＣＡＴＶ用端末装置。
【発明の詳細な説明】
【技術分野】
【０００１】
本発明は，主にＣＡＴＶ伝送路を介して伝送される信号をＣＡＴＶ用端末装置で受信するＣＡＴＶシステムに関し，詳しくは当該ＣＡＴＶシステムを利用してＣＡＴＶ用端末装置の受信機動作用プログラム等をダウンロードするように構成されたＣＡＴＶシステム及びＣＡＴＶ用端末装置に関する。
【背景技術】
【０００２】
従来のＣＡＴＶ用端末装置はアナログ放送を受信できるようにするばかりでなく，放送のディジタル化に伴いＣＡＴＶ網やインターネットを介して双方向のサービスを実現したり，ディジタル放送の受信を可能にしたりするように構成されており，前記ＣＡＴＶ用端末装置はディジタル信号に含まれたデータ信号から，各種情報（例えば，受信機動作用プログラム等など。）を取り出してダウンロードする構成となっている。（例えば，特許文献１参照）
【０００３】
【特許文献１】特開２００３−２１９３１２号公報
【発明の開示】
【発明が解決しようとする課題】
【０００４】
しかし，従来のＣＡＴＶ用端末装置によると，センター局若しくは放送局からの信号に含まれたディジタル信号の中からデータ信号を取り出し，前記ＣＡＴＶ用端末装置の受信機動作用プログラム等などの各種情報をダウンロードする動作は，ＣＡＴＶ用端末装置の電源がスタンバイにあるときなどにバックグラウンドで処理することで，常に最新の情報に基づいて自動的に更新するように構成されているので，例えば加入者宅に設置されたＣＡＴＶ用端末装置が電源ＯＮ状態のままにおかれている場合には，最新の受信機動作用プログラム等の更新が出来ないといった問題があった。
そこで本願においては，こうした問題点を解決するためになされたものであり，
その目的は，ＣＡＴＶ伝送路を介してＣＡＴＶ用端末装置の受信機動作用プログラム等をダウンロードできるＣＡＴＶ用端末装置を備えたＣＡＴＶシステムを提供することにある。
他の目的は，ＣＡＴＶ伝送路を介してＣＡＴＶ用端末装置の受信機動作用プログラム等をダウンロードできるＣＡＴＶ用端末装置を提供することにある。
他の目的は，ＣＡＴＶ用端末装置の電源がスタンバイ状態に無くとも，センター局から受信機動作用プログラム等をダウンロードできるＣＡＴＶ用端末装置を備えたＣＡＴＶシステムを提供することにある。
他の目的は，ＣＡＴＶ用端末装置の電源がスタンバイ状態に無くとも，センター局から受信機動作用プログラム等をダウンロードできるＣＡＴＶ用端末装置を提供することにある。
他の目的は，センター局側からＣＡＴＶ用端末装置の電源０Ｎ／スタンバイ状態を制御できるＣＡＴＶシステムを提供することにある。
他の目的は，センター局側からＣＡＴＶ用端末装置の電源ＯＮ／スタンバイ状態を制御できるＣＡＴＶ用端末装置を提供することにある。
他の目的は，センター局側からＣＡＴＶ用端末装置の電源０Ｎ／スタンバイ状態を制御することで，ＣＡＴＶ用端末装置の受信機動作用プログラム等をダウンロードするように構成したＣＡＴＶシステムを提供することにある。
他の目的は，センター局側からＣＡＴＶ用端末装置の電源ＯＮ／スタンバイ状態を制御されることで，ＣＡＴＶ用端末装置の受信機動作用プログラム等をダウンロードできるＣＡＴＶ用端末装置を提供することにある。
【課題を解決するための手段】
【０００５】
上記課題を解決するために，請求項１の発明は，センター局とＣＡＴＶ伝送路を介して複数のＣＡＴＶ用端末装置が接続されており，当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶシステムにおいて，前記センター局にはケーブルモデムターミネーションシステムを備えると共に，前記ＣＡＴＶ用端末装置にはケーブルモデムを備えさせ，前記センター局には，前記ＣＡＴＶ用端末装置の電源ＯＮ／スタンバイ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成される。
【０００６】
請求項２の発明は，センター局とＣＡＴＶ伝送路を介して複数のＣＡＴＶ用端末装置が接続されており，当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶ用端末装置において，前記センター局にはケーブルモデムターミネーションシステムを備えると共に，前記ＣＡＴＶ用端末装置にはケーブルモデムを備えさせ，前記センター局には，前記ＣＡＴＶ用端末装置の電源ＯＮ／スタンバイ若しくはＯＦＦ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成される。
【０００７】
請求項３の発明は，前記ＣＡＴＶ用端末装置はケーブルモデムを内蔵するように構成される。
【発明の効果】
【０００８】
以上詳述したように，請求項１の発明によれば，センター局とＣＡＴＶ伝送路を介して複数のＣＡＴＶ用端末装置が接続されており，当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶシステムにおいて，前記センター局にはケーブルモデムターミネーションシステムを備えると共に，前記ＣＡＴＶ用端末装置にはケーブルモデムを備えさせ，前記センター局には，前記ＣＡＴＶ用端末装置の電源ＯＮ／スタンバイ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成したので，電源がＯＮ状態のままで放置されているＣＡＴＶ用端末装置であって，センター局側に備えたＣＡＴＶ用端末装置の管理装置が，前記ＣＡＴＶ用端末装置の受信機動作用プログラム等が最新のものにアップデートされていないことを判定された特定のＣＡＴＶ用端末装置に対して，電源をスタンバイ状態に制御することで最新の受信機動作用プログラム等を更新できるＣＡＴＶシステムを提供できる。
【０００９】
請求項２の発明によれば，センター局とＣＡＴＶ伝送路を介して複数のＣＡＴＶ用端末装置が接続されており，当該ＣＡＴＶ用端末装置は，電源をスタンバイにすることで，センター局から送出される高周波信号から，該高周波信号にセンター局又は放送局において多重化されたデータ信号を取込み，前記ＣＡＴＶ用端末装置に受信機動作用プログラム等をダウンロードするように構成されたＣＡＴＶ用端末装置において，前記センター局にはケーブルモデムターミネーションシステムを備えると共に，前記ＣＡＴＶ用端末装置にはケーブルモデムを備えさせ，前記センター局には，前記ＣＡＴＶ用端末装置の電源ＯＮ／スタンバイ情報を取得して管理すると共に，この情報に基づいて特定のＣＡＴＶ用端末装置の電源をスタンバイに制御するＣＡＴＶ用端末装置の管理装置を設けることで，センター局側から前記ＣＡＴＶ用端末装置の電源をスタンバイにすることで，当該ＣＡＴＶ用端末装置が受信機動作用プログラム等をダウンロードできるように構成したので，電源がＯＮ状態のままで放置されているＣＡＴＶ用端末装置であっても，センター局側に備えたＣＡＴＶ用端末装置の管理装置によって，前記ＣＡＴＶ用端末装置の受信機動作用プログラム等が最新のものにアップデートされていないときでも，前記管理装置によって電源をスタンバイ状態に制御することができ最新の受信機動作用プログラム等に更新できるＣＡＴＶ用端末装置を提供できる。
【００１０】
請求項３の発明によれば，前記ＣＡＴＶ用端末装置はケーブルモデムを内蔵するように構成したので，外付けのケーブルモデムを用いることが無いので，設置の容易性や取扱性のよいＣＡＴＶ用端末装置が提供できる。
尚，前記ＣＡＴＶ用端末装置の代表例として，セットトップボックスが挙げられる。
【発明を実施するための最良の形態】
【００１１】
以下に，本発明を具体化した実施形態の例を，図面を基に詳細に説明する。
図１は本発明に係るＣＡＴＶシステムの構成を示す。図２は本発明に係るＣＡＴＶシステムに使用するＣＡＴＶ用端末装置の構成を示すブロック図である。図３は本発明に係るＣＡＴＶ用端末装置の他の実施例を示す。図４は本願に係るＣＡＴＶシステムにおける電源ＯＮ／スタンバイの処理に関する動作手順を示す。
【実施例１】
【００１２】
以下，本願を具体化した実施の形態の一例を，図面を基に詳細に説明する。図１は本発明に係るＣＡＴＶシステムの概要図であり，１００はセンター局，７０はＣＡＴＶ網，１はＣＡＴＶ用端末装置（例えば，セットトップボックス等），８０はパソコン，８１はテレビ受像機である。該センター局には５０に示す衛星放送（例えばＢＳディジタル。）用のアンテナ及び，５１に示す地上放送（地上ディジタル放送等。）用のアンテナ等が備えられている。尚，本発明の実施例では，ＣＡＴＶ用端末装置１の代表例としてセットトップボックスを用いた例で説明する。
【００１３】
センター局において，ＢＳディジタル用アンテナ５０で受信された信号は分配器５２で所定数に分配されてチューナー５３に入力され，各チューナーによって所定放送チャンネルのＴＳ（Ｔｒａｓｐｏｒｔ  Ｓｔｒｅａｍ）信号（以下，ＴＳ信号と記載する。）が選局／復調されて変調器５８に入力される。変調器５８では前記チューナーからの出力をＣＡＴＶ伝送路の特性に応じたディジタル変調方式を用いて変調（例えば，ＱＡＭ変調（Ｑｕａｄｒａｔｕｒｅ  Ａｍｐｌｉｔｕｄｅ  Ｍｏｄｕｌａｔｉｏｎ：直交振幅変調。以下ＱＡＭ変調と記載する。））され，混合器５９を介してＣＡＴＶ網７０に送出される。
同様に，地上ディジタル放送用アンテナ５１で受信された信号は分配器５４で所定数に分配されてチューナー５５に入力され，各チューナーによって所定放送チャンネルのＯＦＤＭ（直交周波数分割多重）変調方式のテレビ信号が選局／復調されて変調器５８に入力される。変調器５８では前記チューナーからの出力をＣＡＴＶ伝送路の特性に応じたディジタル変調方式を用いて，例えばＱＡＭ変調され，混合器５９において前記ＢＳディジタルの信号と混合されてＣＡＴＶ網７０に送出される。
５６はＳＤＴＴ（Ｓｏｆｔｗａｒｅ  Ｄｏｗｎｌｏａｄ  Ｔｒｉｇｇｅｒ  Ｔａｂｌｅの略。以下ＳＤＴＴ信号と記載する。）信号発生装置であり，変調器５８に備えた多重化装置によってＴＳ信号に多重化されて変調器から出力される。
【００１４】
更にセンター局１００には，セットトップボックス管理装置６０，ケーブルモデム管理装置６１，メールサーバー６２等とケーブルモデムターミネーションシステム（以下，ＣＭＴＳと記載する。）６５が設けられ，混合器６６を通過した後，前記変調器５８から送出された信号と混合器５９において混合されて各加入者宅に設置されたセットトップボックスと接続されている。６３は前記セットトップボックス管理装置６０等とＣＭＴＳ６５とを接続するためのスイッチングハブであり，このスイッチングハブ６３にはルーター６４が接続されており，ルーター６４を介してＷＡＮに接続されている。
【００１５】
次に，セットトップボックス１について図２を用いて説明する。
ＣＡＴＶ網７０を介してセンター局１００から送出された信号は，入力端子Ｔｉｎからセットトップボックスに取り入れられる。入力された信号は分配器２で所定数に分配される。
３はＣＡＴＶ伝送路に伝送されているＱＡＭ変調されたディジタル信号を受信して，当該受信信号から所定の信号を選局すると共に復調して，ＴＳ（Ｔｒａｓｐｏｒｔ  Ｓｔｒｅａｍ）信号（以下，ＴＳ信号と記載する。）を出力するように構成されたフロントエンドである。
このＱＡＭ変調フロントエンドにおいて生成されたＴＳ信号はＣＡデスクランブラ（Ｃｏｎｄｉｔｉｏｎａｌ  Ａｃｃｅｓｓ）５に出力される。
【００１６】
ＣＡデスクランブラ５はＣＡＴＶ伝送路に伝送される信号の内，例えば有料放送や著作権保護された信号を受信するような場合において，ＩＣカードなどのＣＡモジュール５ａを挿入することで，前記有料放送や著作権保護された信号が受信可能となるように構成されている。
このＣＡデスクランブラ５でデスクランブルされたＴＳ信号は，１０に示すデータ信号デコーダ部において復号され，映像出力端子Ｖｏｕｔ，音声出力端子Ａｏｕｔ等からもモニター等に出力される。
【００１７】
１５は制御部であって，セットトップボックスの初期状態における動作時に，前記フロントエンドがＣＡＴＶ伝送路に伝送されている周波数帯域をスキャンするように制御する。また，制御部１５はフロントエンドから出力されたＴＳ信号に含まれるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を復号したデータや，スキャンした後の周波数テーブル情報等のデータをメモリー６に保存すると共に，このデータに基づいてフロントエンド３の制御を行う。この制御は制御部１５に接続された表示部を介して行われ，表示部１８に設けたキーボタンや当該表示部１８からのリモコン入力によって，サービスやチャンネル等の選択・切替ができる。
【００１８】
更に，メモリー６はセンター局から送出される信号に含まれる最新の告知情報（ＳＤＴＴ：Ｓｏｆｔｗａｒｅ  Ｄｏｗｎｌｏａｄ  Ｔｒｉｇｇｅｒ  Ｔａｂｌｅの略。以下ＳＤＴＴ信号と記載する。）を復号した信号を保存する。
制御部１５では前記ＳＤＴＴ信号の有無や更新の情報を管理し判定すると共に，該ＳＤＴＴ信号からダウンロードに必要な情報を得ている。このダウンロードはセットトップボックス１の電源がスタンバイ状態にされたときに，前記情報に基づいて行われる規格となっており，例えば電源がスタンバイの状態のときに，少なくとも制御部１５等の信号処理系及びフロントエンド３等の高周波信号系を動作させておき，フロントエンドによって復調されたＴＳ信号を復号することにより，該ＴＳ信号から例えば受信機内情報更新サービス（セットトップボックスの受信機動作用プログラム等）の情報をメモリー６に保存することでセットトップボックスの受信機動作用プログラム等を更新していく。
また，この制御部１５では，ＣＡデスクランブラ５に入力された信号の内，有料放送や著作権保護された信号等を受信するかどうかをＩＣカードなどのＣＡモジュール５ａを介して制御している。
【００１９】
２１はケーブルモデムであり，このケーブルモデムは，分配器２と入力端子Ｔｉｎとからなる伝送経路からＣＡＴＶ網７０を介してセンター局のＣＭＴＳ６５と接続されている。また，このケーブルモデム２１と制御部１５とは信号線（例えば，イーサネット（Ｒ）ケーブル）で接続されていると共に，イーサネット（Ｒ)コネクターＴ３を介してパソコン等の情報端末と接続されている。こうしてセンター局とセットトップボックス（言い換えればケーブルモデム。）はＣＡＴＶ網７０を介して双方向サービスが可能なネットワークを構成している。尚，本発明のセットトップボックス１にはケーブルモデム２１を内蔵している例を示したが，図３に示すように外付けのケーブルモデムを接続できるように構成しても良い。
【００２０】
２０は電源部であり，本願の実施例では図示されていないスイッチによって，セットトップボックスの電源をＯＮにしたり，スタンバイにしたりできるようになっていると共に，外部からの信号によって制御部１５を介して電源をＯＮにしたり，スタンバイにすることが可能であるように構成されている。更に制御部１５はこの電源のＯＮ／スタンバイ状態を判定するように構成されている。
本発明の実施例では，電源がスタンバイの時は，少なくとも映像及び音声のベースバンド信号の出力系はＯＦＦとなり，高周波信号系及び信号処理系は動作状態となるように構成されている。
【００２１】
ここで，本発明のセットトップボックス１が受信機動作用プログラム等をダウンロードする手順について更に詳しく説明する。センター局から送出される信号には，放送局若しくはセンター局においてＴＳ信号にＳＤＴＴ信号が多重化されている。このＳＤＴＴ信号を含む信号はＣＡＴＶ網７０を介してセットトップボックス１の入力端子から取込まれて，フロントエンド３において選局／復調されてＴＳ信号として出力される。
このＴＳ信号に多重化されたＳＤＴＴ信号の情報に基づいて，セットトップボックスはダウンロードを行うのであるが，通常のセットトップボックスにおいては電源がスタンバイのときに，セットトップボックスのバックグラウンドにおいて常に最新の情報に自動的に更新するように構成されていた（言い換えれば，電源プラグが抜かれた状態や電源ＯＦＦの状態ではダウンロードされない。）。すなわち，電源がスタンバイの時に，少なくとも映像及び音声信号の出力系はＯＦＦとなり，高周波信号系及び信号処理系は動作状態となるように構成されていたので，常にセットトップボックス１のバックグラウンドにおいてＳＤＴＴ信号により告知情報を得ることができ，これに基づいてダウンロードサービスを受けて，最新の情報にアップデートすることができていた。
【００２２】
ところが，セットトップボックスを電源ＯＮのままの状態で，スタンバイにしない場合，ＳＤＴＴ信号は受信しているものの，新しい受信機動作用プログラム等がダウンロードされないままにおかれることになる。そこで本発明においては，セットトップボックス１の電源の状態がＯＮ／スタンバイにかかわらず，該セットトップボックス１が受信機動作用プログラム等のダウンロードできるようにするものであり，セットトップボックス１はケーブルモデム２１を介してセンター局に備えＣＭＴＳ６５と接続され，前記セットトップボックス１には電源をＯＮ／スタンバイできる電源スイッチと，その電源のＯＮ／スタンバイ情報を管理・制御する制御部とが備えられ，センター局に少なくともセットトップボックス１の電源ＯＮ／スタンバイ情報と受信機動作用プログラム等のヴァージョン情報を取得して管理するセットトップボックス管理装置６０をもうけた。
【００２３】
これによるとセットトップボックス管理装置６０からセットトップボックス１のファームウエア等のヴァージョン情報に対応させて電源の状態を制御できるようにしたので，ＣＡＴＶ網７０を介したネットワークを介して，センター局１００側から，セットトップボックス１の電源がＯＮ状態のままでスタンバイにされないものであって，受信機動作用プログラム等が最新のヴァージョンに更新されていないセットトップボックスに対して，例えばテレビが見られていない時間帯や加入者への告知（例えば，メール等を使って，センター局側からダウンロードを行うことを通知する。）後等にセンター局側からセットトップボックスの電源をスタンバイに制御することで最新のデータをダウンロードさせるようにできるのである。
【００２４】
センター局による電源ＯＮ／スタンバイの管理手段の一例を説明する。電源をＯＮ（この場合は電源プラグがＡＣプラグに差し込まれた時）するとセットトップボックス１はケーブルモデム２１を始めとしてセンター局１００内に設けたＣＭＴＳ６５と通信可能状態になるまで初期化処理し，初期化処理が完了したら電源ＯＮトラップ信号をセンター局に設けられたセットトップボックス管理装置６０に出力し，当該セットトップボックス管理装置６０からの応答信号を待つ。
トラップ信号は，電源ＯＮ／スタンバイをＳＮＭＰの拡張トラップで定義して使用し，セットトップボックスにはセットトップボックス管理装置６０がトラップを受信したかどうかを示す専用ＭＩＢ（Ｍａｎａｇｅｍｅｎｔ  Ｉｎｆｏｒｍａｔｉｏｎ  Ｂａｓｅ）が用意されており，その専用ＭＩＢにセンター局側がトラップ信号を受信したら，ＳＮＭＰによりトラップを受信したことを示すフラグが書き込まれる。
次に電源をスタンバイにしたとき（本発明では，高周波信号系及び信号処理系は電源ＯＮの状態に保たれている。），セットトップボックス１から電源スタンバイトラップが出力され，トラップ受信を知らせるＭＩＢの値が変更される。
【００２５】
このようにセットトップボックス管理装置６０は，例えばトラップ信号を受信することで，センター局に接続されたセットトップボックス１が電源ＯＮ状態にあるのか，スタンバイ状態にあるのかを判断し管理すると共に，セットトップボックス１の保存された受信機動作用プログラム等のヴァージョン管理している。
ここでセットトップボックス管理装置６０の処理について更に詳しく説明する。ステップＳ１において電源ＯＮ／スタンバイ状態を検出し，電源ＯＮ状態であることを検出した場合は，ステップ２においてセットトップボックスのＭＩＢに書き込まれた受信機動作用プログラム等のヴァージョン情報を管理する。
ステップＳ１においてセットトップボックス１の電源がスタンバイの場合は，電源がＯＮの状態になるまで監視する。
【００２６】
次にステップ３において受信機動作用プログラム等が最新のヴァージョンであったとすると，セットトップボックス１の電源をスタンバイにする必要が無いので所定時間経過後に改めて電源の状態を確認するようステップＳ１に戻り処理を繰り返す。
次に，ステップ３において前記情報が最新のものでない場合は，ステップ４において，セットトップボックスの電源ＯＮ状態が続いている時間を管理する。次にステップ５において電源ＯＮ状態が所定時間以上経過したセットトップボックス１が有るかどうか判定し，電源ＯＮ状態が所定時間経過したセットトップボックス１はステップ６において，セットトップボックス管理装置６０からＳＮＭＰを使用して前記セットトップボックス１のＭＩＢを書き換えて当該セットトップボックス１を電源スタンバイにする。ステップ５において電源ＯＮ状態が所定時間経過していない場合は，所定時間経過後ステップ２に戻ってヴァージョン情報が最新のものになっていないかを確認することで処理を継続する。
【００２７】
また，本発明の処理では，センター局側からセットトップボックスに保存されているファームウエア等のソフトウエアのヴァージョンを管理すると共に，該ソフトウエアのヴァージョンが最新のものでない場合であって，電源がＯＮのまま所定時間を超えてその状態を維持している場合に，電源をスタンバイの状態にリモートすることで，ファームウエア等を最新のものにアップロードする場合を示したが，この実施例に限定されるものでなく例えば，電源をＯＮ状態からスタンバイ状態にして所定時間後に電源をＯＮ状態に（即ち，元の状態に）戻すように構成しても良い。
【００２８】
このように本発明のＣＡＴＶシステム及びセットトップボックスを使えば，
セットトップボックス１の電源の状態がＯＮ／スタンバイにかかわらず，該セットトップボックス１が受信機動作用プログラム等のダウンロードできるようにするものであり，つまり，セットトップボックス１はケーブルモデム２１を介してセンター局に備えＣＭＴＳと接続され，前記セットトップボックス１には電源をＯＮ／スタンバイする電源スイッチと，その電源のＯＮ／スタンバイ情報を管理・制御する制御部とが備えられ，センター局に前記セットトップボックスの電源ＯＮ／スタンバイ情報やファームウエア等のヴァージョン情報を取得して管理するセットトップボックス管理装置６０を設けた。
【００２９】
これによってセットトップボックス管理装置６０からセットトップボックス１のファームウエア等のヴァージョン情報に対応させて電源の状態を制御できるようにしたので，ＣＡＴＶ網７０を介したネットワークを介して，センター局１００側からセットトップボックス１の電源がＯＮのままでスタンバイにされないもので，受信機動作用プログラム等が最新のヴァージョンに更新されていないセットトップボックス１に対して，例えばテレビが見られていない時間帯や加入者への告知（例えば，メール等を使って，センター局１００側からダウンロードを行う制御を行うことを通知する。）後等にセンター局１００側からセットトップボックス１の電源をスタンバイに制御することで最新のデータをダウンロードさせるようにできるのである。
尚，本発明は上記実施の形態に限定されるものではなく，フロントエンドを自動的に選択するようにしても良いし，取り付け場所や出荷後の状況等の条件に応じてどこでもデフォルトの変更が可能としても良いし，本発明の趣旨を逸脱しない範囲で各部の構成等を適宜に変更して実施することも可能である。
【図面の簡単な説明】
【００３０】
【図１】本発明に係るセットトップボックスを使用したＣＡＴＶシステムを示す。
【図２】本発明に係るセットトップボックスの構成を示す。
【図３】本発明に係るセットトップボックスの他の実施例を示す。
【図４】本発明に係るセットトップボックス管理装置の処理に関する動作手順を示すフローチャートである。
【符号の説明】
【００３１】
１…セットトップボックス，２…分配器，３…ＱＡＭ変調方式のチューナー／復調部（フロントエンド），５…ＣＡデスクランブラ，５ａ…ＣＡモジューラ，６…メモリー，１０…データ信号デコーダ部，１５…制御部，１８…表示部，２０…電源部，２１…ケーブルモデム，５０…衛星アンテナ，５１…地上ディジタルアンテナ，５２，５４…分配器，５３，５５…チューナー，５６…ＳＤＴＴ信号発生装置，５８…変調器，５９，６６…混合器，６０…セットトップボックス（ＣＡＴＶ用端末装置）管理装置，６１…ケーブルモデム管理装置，６２…メールサーバー等，６３…スイッチングハブ，６４…ルーター，６５…ＣＭＴＳ，７０…ＣＡＴＶ網，８０…パーソナルコンピューター，８１…テレビ受信機
【図１】
2005176112.tif 000003
【図２】
2005176112.tif 000004
【図３】
2005176112.tif 000005
【図４】
2005176112.tif 000006